(57)【要約】【課題】    こたつ布団を用いずとも利用者が暖かく、かつエネルギー消費の少なくて済む掘りごたつを提供すること。【解決手段】      床下に設けられる上面が開口した箱体からなる掘りごたつ本体１と、掘りごたつ本体１上に設けられる座卓２とからなる掘りごたつにおいて、掘りごたつ本体１の内周面及び内底面には発熱体４が設けられ、座卓２下面の周縁部分には、発熱面が外側斜め下方に向け傾斜した略板状の補助発熱体５が設けられていることを特徴とする掘りごたつ３となっている。【選択図】図１
2005180846.tif 000002
【特許請求の範囲】
【請求項１】
床下に設けられる上面が開口した箱体からなる掘りごたつ本体と、掘りごたつ本体上に設けられる座卓とからなる掘りごたつにおいて、掘りごたつ本体の内周面及び内底面には発熱体が設けられ、座卓下面の周縁部分には、発熱面が外側斜め下方に向け傾斜した略板状の補助発熱体が設けられていることを特徴とする掘りごたつ。
【請求項２】
補助発熱体を座卓の各辺に対応して設けていることを特徴とする請求項１記載の掘りごたつ。
【請求項３】
補助発熱体が周方向に連続して形成されていることを特徴とする請求項２に記載の掘りごたつ。
【請求項４】
補助発熱体の熱源がＰＴＣ発熱体により構成されていることを特徴とする請求項１から３のいずれか一つに記載の掘りごたつ。
【発明の詳細な説明】
【技術分野】
【０００１】
本発明は、掘りごたつに関するものである。特にはこたつ布団を用いずに利用することも可能な掘りごたつに関するものである。
【背景技術】
【０００２】
従来から掘りごたつは、特に戸建住宅において用いられている。これは掘りごたつを利用しない時期は掘り込み部分を塞いで、居室を広く使うことができるものである。また塞がずともそのまま掘り込み座卓としても用いることができる。
【０００３】
近年、こたつ布団を併用せずに用いる掘りごたつがある。これは布団を利用するにはまだ寒くない秋口や春先などであっても、暖かく利用できるようにしたもので、図６に示すようなものが知られている。
【０００４】
これは床下に設けられる上面が開口した箱体からなる掘りごたつ本体１と、掘りごたつ本体１上に設けられる座卓２とからなる掘りごたつである。このものは、掘りごたつ本体の内周面及び内底面、さらには座卓２の下面に発熱部４１が設けられているものである。
【０００５】
図６では、座卓下面の発熱部４１はコードヒーターにより構成され、掘りごたつ本体１に設けられる発熱部４１はＰＴＣヒータを用いたものを用いている。なお、発熱部４１の内面側には被装部４３が設けられ、直接発熱部４１に利用者が触れやけどをしないようにしている。
【０００６】
なお、掘りごたつ本体１には開口部１１が設けられ、電源や図示しないコントローラとの固定などを行うために用いられる。
【０００７】
ところで布団を併用する場合には、利用者の官能評価の結果、座卓２下面に設けられる発熱部４１は必要無く、逆に布団を用いないときは、図７に示すＡｒｅａＢの部分に発熱が無いと、実使用上は利用者の太もも部分が、寒い室温の影響を受け、実際には温めているのに官能的には不満の残る結果となってしまっていた。
【０００８】
勿論ＡｒｅａＡとＡｒｅａＢとを全部温めるという従来の方式をとればよいが、全面を暖めるというエネルギーを浪費することとなり、省エネルギーに逆行するものとなっていた。
【特許文献１】特開平９−７９５８０号公報
【発明の開示】
【発明が解決しようとする課題】
【０００９】
本願発明は、上記背景技術に鑑みて発明されたものであり、その課題は、こたつ布団を用いずとも利用者が暖かく、かつエネルギー消費の少なくて済む掘りごたつを提供することである。
【課題を解決するための手段】
【００１０】
上記課題を解決するために、本願発明は、請求項１の発明として、床下に設けられる上面が開口した箱体からなる掘りごたつ本体と、掘りごたつ本体上に設けられる座卓とからなる掘りごたつにおいて、掘りごたつ本体の内周面及び内底面には発熱体が設けられ、座卓下面の周縁部分には、発熱面が外側斜め下方に向け傾斜した略板状の補助発熱体が設けられていることを特徴とする掘りごたつとしている。
【００１１】
また請求項２の発明として、補助発熱体を座卓の各辺に対応して設けていることを特徴とする請求項１記載の掘りごたつとしている。
【００１２】
また請求項３の発明として、補助発熱体が周方向に連続して形成されていることを特徴とする請求項２に記載の掘りごたつとしている。
【００１３】
また請求項４の発明として、補助発熱体の熱源がＰＴＣ発熱体により構成されていることを特徴とする請求項１から３のいずれか一つに記載の掘りごたつとしている。
【発明の効果】
【００１４】
本願発明の掘りごたつにおいては、請求項１の発明では、掘りごたつ本体の内周面及び内底面には発熱体が設けられ、座卓下面の周縁部分には、発熱面が外側斜め下方に向け傾斜した略板状の補助発熱体が設けられていることで、こたつ布団を用いていないときに利用者が寒く感じる太もも部分を暖めることができ、座卓下面に従来のような発熱体を設けなくて済み、エネルギー消費量も少なくて済ますことが可能となる。
【００１５】
また請求項２の発明では、請求項１の発明の効果に加えて、座卓のどこに座っても利用者が同じ暖かさを得られる。
【００１６】
また請求項３の発明では、請求項１又は２の発明の効果に加えて、連続して補助発熱体を形成しているので、一体として補助発熱体を用いることができる。
【００１７】
また請求項４の発明では、請求項１から３のいずれかの発明の効果に加えて、ＰＴＣヒータにより自己温度調整機能が付され、特に補助発熱体の温度制御を行う必要がなくなる。
【発明を実施するための最良の形態】
【００１８】
本願発明の最良の形態を図１から図３に示される以下の実施例にて説明する。なお、図１は要部となる部分の拡大断面図を、図２は座卓の下面図を、図３は補助発熱体の断面図を含む概略図をそれぞれ示している。
【００１９】
本実施例では、床下に設けられる上面が開口した箱体からなる掘りごたつ本体１と、掘りごたつ本体１上に設けられる座卓２とからなる掘りごたつにおいて、掘りごたつ本体１の内周面及び内底面には発熱体４が設けられ、座卓２下面の周縁部分には、発熱面が外側斜め下方に向け傾斜した略板状の補助発熱体５が設けられていることを特徴とする掘りごたつ３となっている。
【００２０】
このように座卓下面に従来のような発熱体４を設けずに、本発明のように利用者の太ももに向け暖める補助発熱体５を代わりに設けたので、利用者が暖かく感じかつエネルギー消費量を少なく済ますことが可能となっている。
【００２１】
なお、補助発熱体５の傾きは、利用者の太もも６に対しちょうど対向するようにするのが一番望ましいが、利用者の体格にも寄るので、例えば図１に示すように、補助発熱体５の座卓２下面の取付位置から利用者の着席位置へ向けて対向するように傾けておいてもよい。
【００２２】
なお、従来技術のように単に座卓２下面の周縁部分の、利用者の太もも部分上面に対向するように直上部分に発熱体を設けるのでは発熱体面積が大きくなってしまい、利用者は暖かいが、発熱面積が増えることから、本発明の目的であるエネルギー消費が少なくという目的には外れるものである。
【００２３】
また補助発熱体を座卓２の各辺に対応して設けていて、また補助発熱体５が周方向に連続して形成されている。このようにすると、どの位置に着席しても補助発熱体５による暖房効果が得られる。もちろん各辺に対応してそれぞれ補助発熱体５を独立して設けても良い。
【００２４】
なお本実施形態では、補助発熱体５の熱源をＰＴＣ発熱体５３により構成しているが、特にこの構成にこだわることは無く、例えばコードヒーターを用いて同様に補助発熱体５として用いることなど、各種の態様がありうる。
【００２５】
本実施形態のようにＰＴＣ発熱体５３を用いる場合には、図３に示すように、補助発熱体５内部にＰＴＣ発熱部分５１とその両側に設けられる電極５２とからなるＰＴＣ発熱体５３を内蔵するように用いる。本実施形態では、この補助発熱体が周方向に連続して、座卓２の各辺に対応するように設けられている。なお、電気的に一つのＰＴＣ発熱体５３としてもよいし、各辺毎に独立したものとしても良い。
【００２６】
ところで掘りごたつ本体１の内周面に発熱体４は、上側が非発熱部  、下側が発熱部  として上下に分かれて構成されている。これは利用者に対する官能評価により、脹脛から下側を暖めるだけで全面を暖めるときとほぼ同様の暖房効果を得られるという知見に基づくものである。
【００２７】
掘りごたつ本体１の底面に設けられる発熱体４により足裏も温められ、さらに補助発熱体５で太もも部分も暖められることとなり、座卓２下面の従来のような発熱体やこたつ布団を用いなくても利用者は暖かく本掘りごたつを利用することができる。
【００２８】
なお、座卓２は天板２１の角部分に座卓脚２２を垂設し、その下端には、掘りごたつ本体１上に際置したときに互いに係合するための係合部２３（多くはボルトを突出させて掘りごたつ本体側に係合させ固定する）が設けられている。また必要に応じて座卓２上に分離可能に化粧天板（図示せず）を設ける場合もある。
【００２９】
また、掘りごたつ本体１は床面に開口を設け、同所に掘りごたつ本体１を吊設し設けられる。さらに図示していないが、掘りごたつ本体１の下側に断熱材などを設けて暖房効率を上げることなどを行うことがある。
【００３０】
図４は本発明の別の実施形態を示すもので、座卓２下面を示したものである。その他の構成は先の実施形態と同様であり、異なる部分は補助発熱体５が角部分が丸く形成されているものである。
【００３１】
このようにすることで、例えば補助発熱体５に内蔵される熱源を連続して形成する場合に、コーナー部分で熱源にストレスがかかり断線などのトラブルが起きることを抑えることが可能となる。
【００３２】
ここでＰＴＣ発熱体５３を用いた熱源の例を図５に示す。これはＰＴＣ発熱部分５１を略台形形状にし、図のように両端に電極５２を設けＰＴＣ発熱体５３としている。この両端部分をつなぎ合わせることで、図のように略円錐台の周形状と成すことができる。そして、それぞれの電極５２を電源線５４を介して電源５５に接続している。
【００３３】
このＰＴＣ発熱体５３を図４の補助発熱体に内蔵すれば簡単に補助発熱体を構成することができる。なお、このように用いる場合には、ＰＴＣ発熱体５３の特に電極５２が断線することの無いように、図４に示される実施形態のように補助発熱体５の角部分を丸く形成したもののほうが望ましい。勿論補助発熱体５の内部空間に余裕を持たし、角部分でＰＴＣ発熱体５３にストレスがかからないようにするなど、種々の構成が考えられる。
【図面の簡単な説明】
【００３４】
【図１】本願発明の実施形態である掘りごたつの要部に関する部分の拡大断面図を示す図である。
【図２】同掘りごたつの座卓下面図である。
【図３】同補助発熱体の断面構造を示す図である。
【図４】本願発明のその他の実施形態の座卓下面図である。
【図５】本願発明に用いられる補助発熱体に内蔵される熱源の一例を示した図である。
【図６】従来の掘りごたつの構成を示す概略斜視図である。
【図７】同掘りごたつの座卓下面を示した図である。
【符号の説明】
【００３５】
１  掘りごたつ本体
２  座卓
３  掘りごたつ
４  発熱体
４１  発熱部
４２  非発熱部
４３  被装部
５  補助発熱体
５１  ＰＴＣ発熱部分
５２  電極
５３  ＰＴＣ発熱体
【図１】
2005180846.tif 000003
【図２】
2005180846.tif 000004
【図３】
2005180846.tif 000005
【図４】
2005180846.tif 000006
【図５】
2005180846.tif 000007
【図６】
2005180846.tif 000008
【図７】
2005180846.tif 000009